【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
記憶媒体にグループとして記憶された複数のコンテンツを複製し、通信手段によって接続された外部装置に該グループ単位で送信する第１の送信手段と、
前記記憶媒体に記憶されたコンテンツと、前記送信手段により送信されることにより前記外部装置に記憶されたコンテンツとを同期させる指示を行う指示手段と、
前記指示に基づき、前記記憶媒体に記憶されたグループを識別する識別情報を前記外部装置から受信する受信手段と、
前記受信手段により受信した識別情報と、前記記憶媒体に記憶されたグループを識別する識別情報とを比較する比較手段と、
前記比較手段により比較した識別情報が対応すると判断されたグループに属するコンテンツ同士を同期させる同期手段
を備える情報処理装置。
【請求項２】
前記外部装置に記憶されたグループは、通信手段を介して複数のユーザ端末が外部装置に接続することにより表示或いは編集可能であることを特徴とする請求項１に記載の情報処理装置。
【請求項３】
前記記憶媒体に記憶されたコンテンツのうち、前記第１の送信手段により送信したコンテンツが前記外部装置に存在する場合に、その旨を示す複製情報を設定する複製情報設定手段と、
前記記憶媒体に記憶されたグループ内にあるコンテンツの追加・削除を行う第１の編集手段と、
前記第１の編集手段とは独立に、前記外部装置に記憶されたグループ内にあるコンテンツの追加・削除の指示を行う第２の編集手段とを備え、
前記同期手段は、前記第２の編集手段による指示に応答してコンテンツが追加されている場合には、該コンテンツを前記記憶媒体に複写し、前記第２の編集手段による指示に応答してコンテンツが削除されている場合には、該コンテンツに対応する前記記憶媒体に記憶されているコンテンツに対して設定された、前記複製情報を消去することを特徴とする請求項１から２に記載の情報処理装置。
【請求項４】
前記記憶媒体に記憶されたコンテンツを前記同期手段によって同期させない旨を示す禁止情報を設定する禁止情報設定手段を備え、
前記同期手段により複製情報が消去された場合には、前記禁止情報設定手段により禁止情報を設定することを特徴とする請求項３に記載の情報処理装置。
【請求項５】
前記同期手段は、前記外部装置に記憶されたコンテンツの付属情報を前記記憶媒体に記憶されたコンテンツの付属情報に反映させることを特徴とする請求項１に記載の情報処理装置。
【請求項６】
複数のコンテンツを含むグループを識別する識別情報を要求する指示を外部装置から受信する第１の受信手段と、
前記第１の受信手段により受信した指示に応答して、前記識別情報を前記外部装置に送信する第１の送信手段と、
前記第１の送信手段により送信した識別情報のうち、前記外部装置に記憶されたグループの識別情報と対応するグループ内のコンテンツを同期させる指示を前記外部装置から受信する第２の受信手段と、
前記第２の受信手段により受信した指示に基づいて、コンテンツを同期させる同期手段
を備えることを特徴とする情報処理装置。
【請求項７】
前記外部装置から送信されたコンテンツを受信する第３の受信手段と、
前記第３の受信手段とは独立に、他の装置からコンテンツを受信する第４の受信手段と、
コンテンツが前記第４の受信手段で受信したコンテンツであることを示す外部受信情報を設定する外部受信情報設定手段とを備え、
前記同期手段は、前記外部受信情報が設定されたコンテンツを複写して前記外部装置に送信することを特徴とする請求項６に記載の情報処理装置。
【請求項８】
前記第２の受信手段により受信した指示は、前記外部装置に記憶されていないコンテンツであって、前記外部受信情報が設定されていないコンテンツを削除する指示を含むことを特徴とする請求項７に記載の情報処理装置。
【請求項９】
前記同期手段は、コンテンツの付属情報を前記外部装置に送信する第３の送信手段を備えることを特徴とする請求項６に記載の情報処理装置。
【請求項１０】
記憶媒体にグループとして記憶された複数のコンテンツを複製し、通信手段によって接続された外部装置に該グループ単位で送信する第１の送信工程と、
前記記憶媒体に記憶されたコンテンツと、前記送信工程により送信されることにより前記外部装置に記憶されたコンテンツとを同期させる指示を行う指示工程と、
前記指示に基づき、前記記憶媒体に記憶されたグループを識別する識別情報を前記外部装置から受信する受信工程と、
前記受信工程により受信した識別情報と、前記記憶媒体に記憶されたグループを識別する識別情報とを比較する比較工程と、
前記比較工程により比較した識別情報が対応すると判断されたグループに属するコンテンツ同士を同期させる同期工程
を備える情報処理方法。
【請求項１１】
複数のコンテンツを含むグループを識別する識別情報を要求する指示を外部装置から受信する第１の受信工程と、
前記第１の受信工程により受信した指示に応答して、前記識別情報を前記外部装置に送信する第１の送信工程と、
前記第１の送信工程により送信した識別情報のうち、前記外部装置に記憶されたグループの識別情報と対応するグループ内のコンテンツを同期させる指示を前記外部装置から受信する第２の受信工程と、
前記第２の受信工程により受信した指示に基づいて、コンテンツを同期させる同期工程
を備えることを特徴とする情報処理方法。
【請求項１２】
コンピュータに、
記憶媒体にグループとして記憶された複数のコンテンツを複製し、通信手段によって接続された外部装置に該グループ単位で送信する第１の送信工程と、
前記記憶媒体に記憶されたコンテンツと、前記送信工程により送信されることにより前記外部装置に記憶されたコンテンツとを同期させる指示を行う指示工程と、
前記指示に基づき、前記記憶媒体に記憶されたグループを識別する識別情報を前記外部装置から受信する受信工程と、
前記受信工程により受信した識別情報と、前記記憶媒体に記憶されたグループを識別する識別情報とを比較する比較工程と、
前記比較工程により比較した識別情報が対応すると判断されたグループに属するコンテンツ同士を同期させる同期工程
を実行させるプログラム。
【請求項１３】
コンピュータに、
複数のコンテンツを含むグループを識別する識別情報を要求する指示を外部装置から受信する第１の受信工程と、
前記第１の受信工程により受信した指示に応答して、前記識別情報を前記外部装置に送信する第１の送信工程と、
前記第１の送信工程により送信した識別情報のうち、前記外部装置に記憶されたグループの識別情報と対応するグループ内のコンテンツを同期させる指示を前記外部装置から受信する第２の受信工程と、
前記第２の受信工程により受信した指示に基づいて、コンテンツを同期させる同期工程
を実行させるプログラム。
【手続補正２】
【補正対象書類名】明細書
【補正対象項目名】０００８
【補正方法】変更
【補正の内容】
【０００８】
そこで、本件第１の発明における課題を解決するための手段は、記憶媒体にグループとして記憶された複数のコンテンツを複製し、通信手段によって接続された外部装置に該グループ単位で送信する第１の送信手段と、前記記憶媒体に記憶されたコンテンツと、前記送信手段により送信されることにより前記外部装置に記憶されたコンテンツとを同期させる指示を行う指示手段と、前記指示に基づき、前記記憶媒体に記憶されたグループを識別する識別情報を前記外部装置から受信する受信手段と、前記受信手段により受信した識別情報と、前記記憶媒体に記憶されたグループを識別する識別情報とを比較する比較手段と、前記比較手段により比較した識別情報が対応すると判断されたグループに属するコンテンツ同士を同期させる同期手段とを備えることを特徴とする。
【手続補正３】
【補正対象書類名】明細書
【補正対象項目名】０００９
【補正方法】変更
【補正の内容】
【０００９】
また、本件第２の発明における課題を解決するための手段は、複数のコンテンツを含むグループを識別する識別情報を要求する指示を外部装置から受信する第１の受信手段と、前記第１の受信手段により受信した指示に応答して、前記識別情報を前記外部装置に送信する第１の送信手段と、前記第１の送信手段により送信した識別情報のうち、前記外部装置に記憶されたグループの識別情報と対応するグループ内のコンテンツを同期させる指示を前記外部装置から受信する第２の受信手段と、前記第２の受信手段により受信した指示に基づいて、コンテンツを同期させる同期手段とを備えることを特徴とする。